(57)【要約】【課題】加熱ローラの温度を定着温度に制御する際に加熱ローラの温度が定着温度から大きく外れることを防止できる画像記録装置を提供する。【解決手段】画像記録装置１は、定着器１５、定着器１５のヒータ３９に通電するオンと通電しないオフに切り替え可能なスイッチ部５３及び温度制御部５５を備える。温度制御部５５には、スイッチ部５３がオンの期間とオフの期間がそれぞれ予め設定されており、定着器１５の加熱ローラ３５の温度が定着温度に到達しなくても上記期間が経過すればスイッチ部５３のオンオフを切り替えることを繰り返しながら加熱ローラ３５の温度を定着温度に近づける第１の制御によって、加熱ローラ３５の温度を定着温度に制御する。【選択図】図２
2009157120.tif 000002
【特許請求の範囲】
【請求項１】
加圧ローラ、加熱ローラ及び前記加熱ローラを昇温させるヒータを含み、トナー像が転写された状態で搬送経路を搬送されてきた記録用紙に前記トナー像を定着させる定着器と、
前記ヒータに通電するオンと通電しないオフに切り替え可能なスイッチ部と、
前記スイッチ部がオンの期間とオフの期間がそれぞれ予め設定されており、前記加熱ローラの温度が定着温度に到達しなくても前記期間が経過すれば前記スイッチ部のオンオフを切り替えることを繰り返しながら前記加熱ローラの温度を前記定着温度に近づける第１の制御によって、前記加熱ローラの温度を前記定着温度に制御する温度制御部と、を備える
ことを特徴とする画像記録装置。
【請求項２】
前記定着温度に比べて低い温度であって前記搬送経路に前記記録用紙の給紙が可能となる給紙温度から前記定着温度に前記加熱ローラの温度を制御する場合、前記温度制御部は前記第１の制御を用いる
ことを特徴とする請求項１に記載の画像記録装置。
【請求項３】
前記給紙温度より前記加熱ローラの温度が低い場合、前記温度制御部は、前記加熱ローラの温度が前記給紙温度に到達するまで前記スイッチ部がオンの状態を継続する第２の制御を用い、前記加熱ローラの温度が前記給紙温度に到達した後に前記第１の制御を用いる
ことを特徴とする請求項２に記載の画像記録装置。
【発明の詳細な説明】
【技術分野】
【０００１】
本発明は、画像の記録に電子写真方式を用いる画像記録装置に関する。
【背景技術】
【０００２】
電子写真は画像記録技術の一つであり、以下の工程を含む。
（１）感光ドラムの表面を一様に帯電させる工程（帯電工程）。
（２）照明光学系により画像に対応する光像を感光ドラムに照射して、感光ドラムに静電潜像を形成する工程（露光工程）。
（３）感光ドラム上の静電潜像にトナーを付着させて、感光ドラム上にトナー像を形成する工程（現像工程）。
（４）感光ドラム上のトナー像を記録用紙に転写する工程（転写工程）。
（５）転写されたトナー像を記録用紙に定着させる工程（定着工程）。
【０００３】
電子写真は、複合機、コピー機、プリンタ及びファクシミリ機のような画像記録装置に応用されている。
【０００４】
定着工程では、加熱ローラの温度を定着温度（例えば１８０℃）に制御した状態で、加熱ローラと加圧ローラで記録用紙をニップすることによりトナーを加熱溶融させて、トナー像を記録用紙に定着させる。加熱ローラの温度が定着温度から大きく外れた状態で定着を行えば次の問題が生じる。加熱ローラの温度が定着温度より高い場合は記録用紙にしわ又はカールが発生し、低い場合は定着不良が発生する。
【０００５】
加熱ローラの温度を定着温度に制御する技術として、加熱ローラの温度に応じてヒータへ供給する電力を０％、２５％、５０％、１００％のいずれかを選択するものが提案されている（例えば特許文献１参照）。
【特許文献１】特開２０００−１７２１０８号公報
【発明の開示】
【発明が解決しようとする課題】
【０００６】
本発明の目的は、加熱ローラの温度を定着温度に制御する際に加熱ローラの温度が定着温度から大きく外れることを防止できる画像記録装置を提供することである。  
【課題を解決するための手段】
【０００７】
本発明に係る画像記録装置は、加圧ローラ、加熱ローラ及び前記加熱ローラを昇温させるヒータを含み、トナー像が転写された状態で搬送経路を搬送されてきた記録用紙に前記トナー像を定着させる定着器と、前記ヒータに通電するオンと通電しないオフに切り替え可能なスイッチ部と、前記スイッチ部がオンの期間とオフの期間がそれぞれ予め設定されており、前記加熱ローラの温度が定着温度に到達しなくても前記期間が経過すれば前記スイッチ部のオンオフを切り替えることを繰り返しながら前記加熱ローラの温度を前記定着温度に近づける第１の制御によって、前記加熱ローラの温度を前記定着温度に制御する温度制御部と、を備える。
【０００８】
本発明に係る画像記録装置において、前記定着温度に比べて低い温度であって前記搬送経路に前記記録用紙の給紙が可能となる給紙温度から前記定着温度に前記加熱ローラの温度を制御する場合、前記温度制御部は前記第１の制御を用いる、ようにすることができる。
【０００９】
これによれば、加熱ローラの温度を給紙温度から定着温度にする場合、加熱ローラが急激に昇温して加熱ローラの温度が定着温度を大きく超えることを防止できる。
【００１０】
本発明に係る画像記録装置において、前記給紙温度より前記加熱ローラの温度が低い場合、前記温度制御部は、前記加熱ローラの温度が前記給紙温度に到達するまで前記スイッチ部がオンの状態を継続する第２の制御を用い、前記加熱ローラの温度が前記給紙温度に到達した後に前記第１の制御を用いる、ようにすることができる。
【００１１】
これによれば、加熱ローラの温度を給紙温度より低い状態から定着温度にする場合、加熱ローラが定着温度に到達する時間を短くしつつ、加熱ローラが急激に昇温して加熱ローラの温度が定着温度を大きく超えることを防止できる。
【発明の効果】
【００１２】
本発明によれば、加熱ローラの温度が定着温度に到達しなくても予め設定された期間が経過すればスイッチ部のオンオフを切り替えることを繰り返しながら加熱ローラの温度を定着温度に近づける第１の制御によって、加熱ローラの温度を定着温度に制御している。よって、加熱ローラの温度を定着温度に制御する際に加熱ローラが急激に昇温すること及び降温することを防ぐことができるので、加熱ローラの温度が定着温度から大きく外れることを防止できる。
【発明を実施するための最良の形態】
【００１３】
本発明の実施形態について図面を用いて説明する。図１は、本実施形態に係る画像記録装置１を模式的に示す図である。画像記録装置１は、電子写真方式を利用して画像を記録用紙に記録する装置であり、コピー機、プリンタ、ファクシミリ機及びこれらの機能を有する複合機に応用することができる。
【００１４】
画像記録装置１は、給紙カセット３、感光ドラム５、帯電器７、露光器９、現像器１１、転写ローラ１３、定着器１５、モータ１７及びコントローラ１９等を備える。
【００１５】
給紙カセット３には記録用紙２１が収容される。給紙カセット３内の記録用紙２１は、ピックアップローラ２３によって記録用紙２１の搬送経路２５に一枚ずつ繰り出される。ピックアップローラ２３は、図示しない給紙クラッチを介して伝達されるモータ１７からのトルクで回転する。モータ１７からのトルクは、感光ドラム５等の回転にも利用される。搬送経路２５に繰り出された記録用紙２１は、次に説明する電子写真により画像が記録されて排紙トレイに排紙される。
【００１６】
感光ドラム５の表面には光導電膜が形成されている。感光ドラム５の周囲には、帯電器７、露光器９、現像器１１、転写ローラ１３等が配置されている。
【００１７】
帯電器７は、例えばコロナ放電によって、感光ドラム５の表面に形成された光導電膜を一様に帯電させる。
【００１８】
露光器９は、例えばＬＥＤ(light-emitting diode)アレイを含む照明光学系である。露光器９は、画像データ（この画像データは記録用紙２１に記録する画像のもとになる）を基にしてＬＥＤアレイの各ＬＥＤを点灯制御しながら、一様に帯電させられた状態で回転する感光ドラム５を露光する。これにより、感光ドラム５の表面のうち、ＬＥＤからの光が照射された部分では電荷が除去されて、感光ドラム５の表面に静電潜像が形成される。
【００１９】
現像器１１は、攪拌ローラ２７、搬送ローラ２９、現像ローラ３１及びこれらのローラが配置されておりかつ二成分現像剤が収容されるケース３３を備える。攪拌ローラ２７はスクリュー形状を有する。攪拌ローラ２７を回転させて二成分現像剤を構成するトナーとキャリアを攪拌することでトナーとキャリアを摩擦帯電させる。これにより、トナーとキャリアを静電気的に結合させた状態にして、搬送ローラ２９を用いて現像ローラ３１へ搬送する。
【００２０】
現像ローラ３１へ搬送されてきた二成分現像剤は、現像ローラ３１の磁石により引き寄せられて現像ローラ３１に吸い付けられる。そして、二成分現像剤は現像ローラ３１により感光ドラム５へ搬送される。感光ドラム５へ搬送されてきた二成分現像剤に含まれるトナーは、感光ドラム５に形成された静電潜像により引き寄せられて感光ドラム５に移動する。これにより、感光ドラム５上の静電潜像が現像され、感光ドラム５上にトナー像が形成される。
【００２１】
搬送経路２５に沿って搬送されてきた記録用紙２１は、感光ドラム５と転写ローラ１３でニップされる。転写ローラ１３にはバイアス電圧が印加されているので、感光ドラム５上のトナー像が記録用紙２１上へ転写される。転写後、感光ドラム５をクリーニングして感光ドラム５上に残留した二成分現像剤を除去し、再び、帯電工程から始まる画像記録を可能にする。
【００２２】
トナー像が転写された記録用紙２１は、搬送経路２５に沿って移動し、定着器１５へ送られる。定着器１５は、加熱ローラ３５及び加圧ローラ３７を備える。加熱ローラ３５の材料は例えばアルミニウムであり、加圧ローラ３７の材料は例えばシリコーンゴムである。
【００２３】
加熱ローラ３５は円筒状をしており、円筒内に例えばハロゲンランプからなるヒータ３９が配置されている。ヒータ３９によって加熱ローラ３５を昇温する。加熱ローラ３５の表面近傍には、例えばサーミスタのような温度センサ４１が配置されている。温度センサ４１で測定された温度は、コントローラ１９に送られる。この温度データを基にしてコントローラ１９は、ヒータ３９への通電と非通電の切り替え制御を実行することで、加熱ローラ３５の表面温度を制御する。
【００２４】
加熱ローラ３５の肉厚は、例えば０．４ｍｍ〜０．６ｍｍである。本実施形態によれば、加熱ローラ３５の肉厚を薄くしているので、ヒータ３９からの熱が加熱ローラ３５に伝導し易く、加熱ローラ３５の表面全体をトナーの定着に必要な温度（定着温度）に保つことが可能となる。また、加熱ローラ３５の肉厚を薄くしているので、加熱ローラ３５の昇温速度を高めることができる。
【００２５】
トナー像が転写された状態で搬送経路２５を搬送されてきた記録用紙２１は、加熱ローラ３５と加圧ローラ３７によってニップされた状態で送られながら加熱される。これによって、トナー像を形成するトナーが溶融し、記録用紙２１に定着する。その後、記録用紙２１は排紙トレイへ送られる。
【００２６】
本実施形態に係る画像記録装置１は、加熱ローラ３５の温度制御を一つの特徴とする。この温度制御を実現する機能ブロックの一例を図２に示す。画像記録装置１は、内部電源５１、スイッチ部５３及び温度制御部５５等を備える。
【００２７】
内部電源５１は、外部の商用電源からの電力を画像記録装置１の通電が必要な部分（図１に示す帯電器７、露光器９、モータ１７、コントローラ１９、ヒータ３９等）へ供給する機能を有する。
【００２８】
スイッチ部５３は、ヒータ３９に通電するオンと通電しないオフに切り替え可能な素子である。スイッチ部５３がオンの状態の場合、内部電源５１からの電力によってヒータ３９が点灯する。スイッチ部５３がオフの状態の場合、ヒータ３９は消灯する。スイッチ部５３としては、例えばＭＯＳＦＥＴ(metal-oxide-semiconductor
field-effect transistor)を用いることができる。
【００２９】
温度制御部５５は、温度センサ４１、オンオフ期間記憶部５７、オンオフ制御部５９及びタイマ６１を備える。温度制御部５５の機能は、図１のコントローラ１９及び温度センサ４１等により実現される。
【００３０】
オンオフ期間記憶部５７は、スイッチ部５３をオンにする期間とオフにする期間を記憶する。加熱ローラ３５の昇温制御（図３）では、加熱ローラ３５が昇温するようにスイッチ部５３がオンの期間とオフの期間が設定される。加熱ローラ３５の降温制御（図４）では、加熱ローラ３５が降温するようにスイッチ部５３がオンの期間とオフの期間が設定される。
【００３１】
それらの期間は画像記録装置１の使用環境、季節等をも考慮して予め決められており、画像記録装置１の工場出荷時の段階でオンオフ期間記憶部５７に記憶させておく。なお、上記オンの期間とオフの期間は、画像記録装置１の操作パネル（図示せず）を操作して後から変更することも可能である。
【００３２】
オンオフ制御部５９は、スイッチ部５３がオンの状態か又はオフの状態かの判断、並びに加熱ローラ３５の温度が所定温度（例えば定着温度）より低いか又は高いかの判断及びこの判断に基づいてスイッチ部５３のオンオフを切り替える機能を有する。
【００３３】
また、オンオフ制御部５９は、オンオフ期間記憶部５７に記憶されている期間に基づいてスイッチ部５３のオンオフを切り替える機能を有する。すなわち、オンオフ期間記憶部５７に記憶されているオンの期間が経過すればスイッチ部５３をオンからオフに切り替え、オフの期間が経過すればスイッチ部５３をオフからオンに切り替える。
【００３４】
タイマ６１は、スイッチ部５３がオンの期間とオフの期間が、それぞれオンオフ期間記憶部５７で記憶されている期間に到達したかを計測する。
【００３５】
次に、本実施形態による加熱ローラ３５の温度制御をグラフで説明する。図３は加熱ローラ３５の温度を給紙温度から定着温度へ昇温させる制御を示すグラフであり、図４は加熱ローラ３５の温度が定着温度より高くなった場合に定着温度まで降温させる制御を示すグラフである。これらのグラフにおいて、縦軸は加熱ローラ３５の温度を示し、横軸は時間を示している。
【００３６】
図３のグラフから説明する。給紙温度は定着温度（例えば１８０℃）より低い温度（例えば１７０℃）である。加熱ローラ３５の温度が給紙温度に到達すれば、図１に示す給紙カセット３にセットされた記録用紙２１を搬送経路２５に給紙することが可能となる。
【００３７】
加熱ローラ３５の温度が給紙温度から定着温度へ到達するまで、スイッチ部５３がオンの状態を継続し、加熱ローラ３５の温度が定着温度に到達した後、スイッチ部５３をオンからオフに切り替える制御の場合、加熱ローラ３５の昇温の加速度が大きくなる。したがって、そのような制御では、加熱ローラ３５が急激に昇温し、加熱ローラ３５の温度が定着温度を大きく超える場合がある。
【００３８】
本実施形態では、加熱ローラ３５の温度を給紙温度から定着温度にする場合、第１の制御を用いる。第１の制御とは、加熱ローラ３５の温度が定着温度に到達しなくてもオンオフ期間記憶部５７に記憶されている期間が経過すればスイッチ部５３のオンオフを切り替えることを繰り返しながら加熱ローラ３５の温度を定着温度に近づける制御である。
【００３９】
よって、本実施形態では、加熱ローラ３５の昇温の加速度を小さくできるので、加熱ローラ３５が急激に昇温して加熱ローラ３５の温度が定着温度を大きく超えることを防止することができる。これにより、記録用紙２５にしわ又はカールを生じにくくすることができる。
【００４０】
加熱ローラ３５の厚みが小さいと上記加速度が大きくなるので、加熱ローラ３５の厚みが小さい場合（例えば０．４ｍｍ〜０．６ｍｍである。）に本実施形態は特に有効である。
【００４１】
図４に示す降温の場合、本実施形態では上記第１の制御により、加熱ローラ３５を降温させて定着温度にするので、加熱ローラ３５の降温の加速度を小さくできる。よって、加熱ローラ３５が急激に降温することにより加熱ローラ３５の温度が定着温度から大きく下がることを防止できるので、定着不良を生じにくくすることができる。
【００４２】
次に、本実施形態に係る画像記録装置１を用いて、図３及び図４に示す温度制御を実行する動作を説明する。図５及び図６は上記動作のフローチャートである。
【００４３】
画像記録装置１がウォームアップされている状態とする。したがって、加熱ローラ３５の温度は給紙温度に制御されている。上記状態において、画像記録装置１に画像を記録用紙２１に記録するジョブが発生したとする（ステップＳ１）。このようなジョブとしては、プリンタジョブ、コピージョブ、ファクシミリ受信ジョブが該当する。
【００４４】
温度制御部５５はスイッチ部５３がオフの状態かを判断する（ステップＳ３）。オフの場合（ステップＳ３でＹｅｓ）、温度制御部５５はスイッチ部５３をオフからオンに切り替え、かつタイマ６１をスタートさせる（ステップＳ５）。これに対して、オフの状態でない場合（ステップＳ３でＮｏ）、すなわちオンの状態の場合、温度制御部５５はタイマ６１をスタートさせる（ステップＳ７）。
【００４５】
加熱ローラ３５の温度が定着温度より低いか否かを温度制御部５５において判断する（ステップＳ９）。低い場合（ステップＳ９でＹｅｓ）は、以下に説明するように図３の昇温制御をする。タイマ６１がタイムアップ、すなわちスイッチ部５３をオンにする期間が経過したか判断する（ステップＳ１１）。タイムアップしていない場合（ステップＳ１１でＮｏ）、スイッチ部５３がオンの状態を継続して（ステップＳ１３）、ステップＳ９に戻る。
【００４６】
一方、タイマ６１がタイムアップした場合（ステップＳ１１でＹｅｓ）、すなわちスイッチ部５３をオンにする期間が経過した場合、温度制御部５５はスイッチ部５３をオンからオフに切り替え、かつタイマ６１をスタートさせる（ステップＳ１５）。
【００４７】
タイマ６１がタイムアップ、すなわちスイッチ部５３をオフにする期間が経過したか判断する（ステップＳ１７）。タイムアップしていない場合（ステップＳ１７でＮｏ）、スイッチ部５３がオフの状態を継続して（ステップＳ１９）、ステップＳ１７に戻る。一方、タイマ６１がタイムアップした場合（ステップＳ１７でＹｅｓ）、すなわちスイッチ部５３をオフにする期間が経過した場合、ステップＳ５へ戻り、そしてステップＳ９の処理を実行する。
【００４８】
加熱ローラ３５の温度が定着温度より低ければ（ステップＳ９でＹｅｓ）、ステップＳ１１以下の処理が実行される。したがって、加熱ローラ３５の温度は図３のグラフに示す軌跡で上昇する。
【００４９】
これに対して、加熱ローラ３５の温度が定着温度より低くない場合（ステップＳ９でＮｏ）、すなわち加熱ローラ３５の温度が定着温度より高い場合、タイマ６１がストップされる（ステップＳ２１）。そして、次に説明するように図４の降温制御をする。
【００５０】
温度制御部５５はスイッチ部５３をオンからオフに切り替え、かつタイマ６１をスタートさせる（ステップＳ２３）。そして、温度制御部５５によって、加熱ローラ３５の温度が定着温度より高いか否か判断される（ステップＳ２５）。高い場合（ステップＳ２５でＹｅｓ）、タイマ６１がタイムアップ、すなわちスイッチ部５３をオフにする期間が経過したか判断する（ステップＳ２７）。タイムアップしていなければ（ステップＳ２７でＮｏ）、スイッチ部５３がオフの状態を継続して（ステップＳ２９）、ステップＳ２５に戻る。
【００５１】
タイマ６１がタイムアップした場合（ステップＳ２７でＹｅｓ）、すなわちスイッチ部５３をオフにする期間が経過した場合、温度制御部５５はスイッチ部５３をオフからオンに切り替え、かつタイマ６１をスタートさせる（ステップＳ３１）。
【００５２】
そして、タイマ６１がタイムアップ、すなわちスイッチ部５３をオンにする期間が経過したか判断される（ステップＳ３３）。タイムアップしていない場合（ステップＳ３３でＮｏ）、スイッチ部５３がオンの状態を継続して（ステップＳ３５）、ステップＳ３３に戻る。これに対して、タイマ６１がタイムアップした場合（ステップＳ３３でＹｅｓ）、すなわちスイッチ部５３をオンにする期間が経過した場合、ステップＳ２３へ戻り、ステップＳ２５の処理を実行する。
【００５３】
定着温度と比べて加熱ローラ３５の温度が高い場合（ステップＳ２５でＹｅｓ）、再びステップＳ２７以下の処理が実行される。よって、加熱ローラ３５の温度は図４のグラフに示す軌跡で下降する。
【００５４】
定着温度と比べて加熱ローラ３５の温度が高くない場合（ステップＳ２５でＮｏ）、すなわち加熱ローラ３５の温度が定着温度より低い場合、タイマ６１がストップされる（ステップＳ３７）。そして、ステップＳ５の処理を実行する。
【００５５】
以上説明した加熱ローラ３５の温度制御は、ステップＳ１で説明したジョブが終了した時点で終了する。
【００５６】
本実施形態に係る画像記録装置１によれば、上記第１の制御によって加熱ローラ３５の温度を定着温度に制御している。したがって、加熱ローラ３５の温度を定着温度に制御する際に加熱ローラ３５が急激に昇温すること及び降温することを防ぐことができるので、加熱ローラ３５の温度が定着温度から大きく外れることを防止できる。また、昇温制御と降温制御を連続して実行するので、定着温度に対する加熱ローラ３５の温度のリップルを小さくすることができる。
【００５７】
ところで、図５のステップＳ１の前提として、画像記録装置１がウォームアップされており、加熱ローラ３５の温度が給紙温度に制御されているとした。しかし、画像記録装置１は、しばらく使用されないと、画像記録装置１の消費電力を抑えるために、加熱ローラ３５の温度を給紙温度より低い温度（例えば１２５℃）に保つモード（待機モード）に遷移する。そして、待機モードで所定期間が経過すれば、さらに消費電力を抑えるモード（スリープモード）に遷移する。スリープモードでは、加熱ローラ３５の温度制御が停止するので、加熱ローラ３５の温度は室温まで下がる。
【００５８】
本実施形態では、画像記録装置１が待機モード又はスリープモードの状態となり、したがって給紙温度より加熱ローラ３５の温度が低い場合、次のように加熱ローラ３５の温度を制御する。まず、温度制御部５５は、加熱ローラ３５の温度が給紙温度に到達するまで（加熱ローラ３５の温度≧給紙温度）、スイッチ部５３がオンの状態を継続する第２の制御をする。そして、加熱ローラ３５の温度が給紙温度に到達した後に、温度制御部５５は、上記第１の制御によって加熱ローラ３５の温度を定着温度に制御する。
【００５９】
待機モードの状態で上記第１及び第２の制御によって加熱ローラ３５の温度を定着温度に制御した場合、加熱ローラ３５の温度は図７に示すグラフの（１）のようになる。（２）は、待機モードの状態で第１の制御だけで加熱ローラ３５の温度を定着温度に制御した場合である。待機温度から給紙温度に到達するまで第２の制御をしてスイッチ部５３がオンの状態を継続することにより、給紙温度、ひいては定着温度に到達する時間を短くすることができる。加熱ローラ３５の温度が給紙温度に到達した後に、第１の制御によって加熱ローラ３５の温度を定着温度に制御するので、加熱ローラ３５が急激に昇温して加熱ローラ３５の温度が定着温度を大きく超えることを防止することができる。
【００６０】
第１及び第２の制御によって加熱ローラ３５の温度を定着温度に制御する動作を説明する。図８は第２の制御を説明するフローチャートである。画像記録装置１が待機モードの状態にあり（ステップＳ３９）、画像記録装置１に画像を記録用紙２１に記録するジョブが発生したとする（ステップＳ４１）。
【００６１】
温度制御部５５はスイッチ部５３がオフの状態か判断する（ステップＳ４３）。オフの場合（ステップＳ４３でＹｅｓ）、温度制御部５５はスイッチ部５３をオフからオンに切り替えて（ステップＳ４５）、ステップＳ４７へ進む。スイッチ部５３がオンの状態の場合（ステップＳ４３でＮｏ）もステップＳ４７へ進む。
【００６２】
温度制御部５５は、加熱ローラ３５の温度が給紙温度に到達したか判断する（ステップＳ４７）。ここで到達とは、加熱ローラ３５の温度≧給紙温度を意味する。到達していない場合（ステップＳ４７でＮｏ）、スイッチ部５３がオンの状態を継続して（ステップＳ４９）、ステップＳ４７に戻る。加熱ローラ３５の温度が給紙温度に到達した場合（ステップＳ４７でＹｅｓ）、第２の制御が終了する。そして、図５のステップＳ７へ進み、第１の制御を実行する。
【００６３】
以上説明したように第１及び第２の制御により、加熱ローラ３５の温度を定着温度に制御すれば、加熱ローラ３５が定着温度に到達する時間を短くしつつ、加熱ローラ３５が急激に昇温して加熱ローラ３５の温度が定着温度を大きく超えることを防止できる。
【図面の簡単な説明】
【００６４】
【図１】本実施形態に係る画像記録装置１を模式的に示す図である。
【図２】本実施形態に係る画像記録装置１において、加熱ローラ３５の温度制御を実現する機能ブロックの一例を示す図である。
【図３】本実施形態に係る画像記録装置１による加熱ローラ３５の昇温制御を示すグラフである。
【図４】本実施形態に係る画像記録装置１による加熱ローラ３５の降温制御を示すグラフである。
【図５】本実施形態に係る画像記録装置１によって、加熱ローラ３５の昇温制御を実行する動作を説明するフローチャートである。
【図６】本実施形態に係る画像記録装置１によって、加熱ローラ３５の降温制御を実行する動作を説明するフローチャートである。
【図７】本実施形態に係る画像記録装置１による加熱ローラ３５の温度制御（待機温度から定着温度への昇温制御）を示すグラフである。
【図８】本実施形態に係る画像記録装置１によって、加熱ローラ３５の温度制御（待機温度から給紙温度への昇温制御）を実行する動作を説明するフローチャートである。
【符号の説明】
【００６５】
１・・・画像記録装置、３・・・給紙カセット、５・・・感光ドラム、７・・・帯電器、９・・・露光器、１１・・・現像器、１３・・・転写ローラ、１５・・・定着器、１７・・・モータ、１９・・・コントローラ、２１・・・記録用紙、２３・・・ピックアップローラ、２５・・・搬送経路、２７・・・攪拌ローラ、２９・・・搬送ローラ、３１・・・現像ローラ、３３・・・ケース、３５・・・加熱ローラ、３７・・・加圧ローラ、３９・・・ヒータ、４１・・・温度センサ、５１・・・内部電源、５３・・・スイッチ部、５５・・・温度制御部、５７・・・オンオフ期間記憶部、５９・・・オンオフ制御部、６１・・・タイマ
【図１】
2009157120.tif 000003
【図２】
2009157120.tif 000004
【図３】
2009157120.tif 000005
【図４】
2009157120.tif 000006
【図５】
2009157120.tif 000007
【図６】
2009157120.tif 000008
【図７】
2009157120.tif 000009
【図８】
2009157120.tif 000010